(57)【要約】【課題】より少ない部品点数や良好な作業性をもって、隙間を隔てて隣接配置された他部材に干渉して異音等が発生することを有利に防止できる、新規な構造のワイヤハーネス用外装材およびそれを用いたワイヤハーネスを提供すること。【解決手段】ワイヤハーネス用外装材１０が、チューブ本体１２と、チューブ本体１２の外周面１８上に変形許容空間２２を隔てて突設されている弾性変形可能な干渉壁部１６と、を備えているようにした。【選択図】図１
2018191383.tif 000002
【特許請求の範囲】
【請求項１】
チューブ本体と、
該チューブ本体の外周面上に変形許容空間を隔てて突設されている弾性変形可能な干渉壁部と、を備えている
ことを特徴とするワイヤハーネス用外装材。
【請求項２】
複数の前記干渉壁部が、前記チューブ本体の前記外周面の周方向で相互に離隔して設けられており、各前記干渉壁部が前記周方向に所定長さで広がると共に、各前記干渉壁部の該周方向の両端部が前記チューブ本体の前記外周面に向かって屈曲して連結されて前記チューブ本体との間に前記変形許容空間が設けられている請求項１に記載のワイヤハーネス用外装材。
【請求項３】
前記外周面の前記周方向で隣接する前記干渉壁部の各前記両端部の先端側が相互に一体化されて前記外周面に連結されている請求項２に記載のワイヤハーネス用外装材。
【請求項４】
前記干渉壁部と、該干渉壁部と前記チューブ本体の前記外周面によって画成される前記変形許容空間と、が前記チューブ本体の軸方向に連続して設けられている請求項１〜３の何れか１項に記載のワイヤハーネス用外装材。
【請求項５】
前記干渉壁部が、前記チューブ本体よりも薄肉とされている請求項１〜４の何れか１項に記載のワイヤハーネス用外装材。
【請求項６】
請求項１〜５の何れか１項に記載のワイヤハーネス用外装材が外挿装着されている
ことを特徴とするワイヤハーネス。
【発明の詳細な説明】
【技術分野】
【０００１】
本発明は、自動車等に配索されるワイヤハーネスに外装されてワイヤハーネスを保護するワイヤハーネス用外装材と、かかるワイヤハーネス用外装材を用いたワイヤハーネスに関するものである。
【背景技術】
【０００２】
従来から、自動車の内部には、バッテリーと各種電装品間を接続する多数の電線が結束されてなるワイヤハーネスが配索されている。このようなワイヤハーネスでは、他部材との干渉等による電線の損傷を防止する目的から、電線束の外周面に巻回される結束テープや、さらにその外周側に装着される合成樹脂製のコルゲートチューブやプロテクタ等のワイヤハーネス用外装材により、各電線の保護を図ることが行われている。例えば、特開平５−１６８１２２号公報（特許文献１）の図１に記載の如きである。
【０００３】
ところで、近年の車両の小型化・高密度化の要求により、ワイヤハーネスの配設スペースも限られており、ワイヤハーネスを車体に固定する取付箇所が限定されたり、ワイヤハーネスと隣接する他部材との間にわずかな隙間しか設けられない場合も多くなっている。それゆえ、車両走行時の振動等により、ワイヤハーネスを保護するワイヤハーネス用外装材が、隙間を隔てて隣接配置された他部材に干渉して異音等が発生する場合があった。
【０００４】
従来構造においては、他部材に対して隙間を隔てて隣接配置されたワイヤハーネス用外装材の外周の部位に、例えばウレタン等の部材を張り付けて異音の発生を防止することが行われていたが、新たにウレタン等の部材やかかる部材をワイヤハーネス用外装材の外周の所定部位に取り付ける作業が必要となることから、コストアップが避けられず、有効な対策とは言い難かった。
【先行技術文献】
【特許文献】
【０００５】
【特許文献１】特開平５−１６８１２２号公報
【発明の概要】
【発明が解決しようとする課題】
【０００６】
本発明は、上述の事情を背景に為されたものであって、その解決課題は、より少ない部品点数や良好な作業性をもって、隙間を隔てて隣接配置された他部材に干渉して異音等が発生することを有利に防止できる、新規な構造のワイヤハーネス用外装材およびそれを用いたワイヤハーネスを提供することにある。
【課題を解決するための手段】
【０００７】
ワイヤハーネス用外装材に関する本発明の第一の態様は、チューブ本体と、該チューブ本体の外周面上に変形許容空間を隔てて突設されている弾性変形可能な干渉壁部と、を備えていることを特徴とする。
【０００８】
本態様によれば、ワイヤハーネス用外装材が、チューブ本体と、かかるチューブ本体の外周面上に変形許容空間を隔てて突設されている弾性変形可能な干渉壁部と、を備えて構成されている。それゆえ、車両走行時の振動等によりワイヤハーネス用外装材が隙間を隔てて隣接配置された他部材に干渉する場合であっても、新たにウレタン等の部材を準備したり、かかる部材をワイヤハーネス用外装材の外周の所定部位に取り付ける作業を行う必要がない。すなわち、本発明のワイヤハーネス用外装材の外周面には、変形許容空間を隔てて弾性変形可能な干渉壁部が突設されていることから、ワイヤハーネス用外装材が他部材に干渉するような場合であっても、かかる干渉壁部が弾性変形することにより異音の発生が抑えられるので、従来の如き新たな部材やかかる部材を所定部位に取り付けるといった作業が不要となるのである。以上のことから、新たな部材の準備や新たな作業に伴うコストとの増加を有利に回避することができるようになっている。
【０００９】
ワイヤハーネス用外装材に関する本発明の第二の態様は、前記第一の態様に記載のワイヤハーネス用外装材において、複数の前記干渉壁部が、前記チューブ本体の前記外周面の周方向で相互に離隔して設けられており、各前記干渉壁部が前記周方向に所定長さで広がると共に、各前記干渉壁部の該周方向の両端部が前記チューブ本体の前記外周面に向かって屈曲して連結されて前記チューブ本体との間に前記変形許容空間が設けられているものである。
【００１０】
本態様によれば、干渉壁部が、チューブ本体の外周面の周方向で相互に離隔して設けられており、各干渉壁部が周方向に所定長さで広がると共に、干渉壁部の周方向の両端部がチューブ本体の外周面に向かって屈曲して連結されてチューブ本体との間に変形許容空間が設けられるようになっている。それゆえ、変形許容空間の大きさを、干渉壁部の材料や肉厚等を考慮して、干渉壁部の変形を許容しつつチューブ本体への衝突を回避するように設計することができる。
【００１１】
ワイヤハーネス用外装材に関する本発明の第三の態様は、前記第二の態様に記載のワイヤハーネス用外装材において、前記外周面の前記周方向で隣接する前記干渉壁部の各前記両端部の先端側が相互に一体化されて前記外周面に連結されているものである。
【００１２】
本態様によれば、干渉壁部が他部材と干渉した際に応力が集中する干渉壁部の周方向両端部の先端側が、隣接する干渉壁部の両端部の先端側と一体化されて外周面に連結されていることから、干渉壁部、ひいてはワイヤハーネス用外装材の耐久性の向上を図ることができる。
【００１３】
ワイヤハーネス用外装材に関する本発明の第四の態様は、前記第一乃至第三の何れか一つの態様に記載のワイヤハーネス用外装材において、前記干渉壁部と、該干渉壁部と前記チューブ本体の前記外周面によって画成される前記変形許容空間と、が前記チューブ本体の軸方向に連続して設けられているものである。
【００１４】
本態様によれば、干渉壁部と変形許容空間がチューブ本体の軸方向に連続して設けられていることから、干渉壁部と変形許容空間を押し出し成形によって容易にチューブ本体と一体的に形成することができると共に、他部材が干渉壁部に対していかなる方向から干渉したとしても他部材がチューブ本体の外周面に直接干渉することを有利に防止できるようになっている。
【００１５】
ワイヤハーネス用外装材に関する本発明の第五の態様は、前記第一乃至第四の何れか一つの態様に記載のワイヤハーネス用外装材において、前記干渉壁部が、前記チューブ本体よりも薄肉とされているものである。
【００１６】
本態様によれば、干渉壁部がチューブ本体よりも薄肉とされていることから、干渉壁部の弾性変形を一層容易にして、他部材のワイヤハーネス用外装材への干渉による異音の発生を一層有利に抑えることができる。
【００１７】
ワイヤハーネスに関する本発明の第一の態様は、前記第一乃至第五の何れか一つの態様に記載のワイヤハーネス用外装材が外挿装着されていることを特徴とする。
【００１８】
本態様によれば、本発明のワイヤハーネス用外装材を採用することにより、車両走行時の振動等によりワイヤハーネス用外装材が隙間を隔てて隣接配置された他部材に干渉するような場合であっても、新たにウレタン等の部材を準備したり、かかる部材をワイヤハーネス用外装材の外周の所定部位に取り付ける作業を行う必要がない。すなわち、本発明のワイヤハーネス用外装材の外周面には、変形許容空間を隔てて弾性変形可能な干渉壁部が突設されていることから、ワイヤハーネス用外装材が他部材に干渉するような場合であっても、かかる干渉壁部が弾性変形することにより異音の発生が抑えられるので、従来の如き新たな部材やかかる部材を所定部位に取り付けるといった作業が不要となるのである。
【発明の効果】
【００１９】
本発明によれば、ワイヤハーネス用外装材が、チューブ本体と、かかるチューブ本体の外周面上に変形許容空間を隔てて突設されている弾性変形可能な干渉壁部と、を備えて構成されている。それゆえ、車両走行時の振動等によりワイヤハーネス用外装材が隙間を隔てて隣接配置された他部材に干渉しても、新たにウレタン等の部材を準備したり、かかる部材をワイヤハーネス用外装材の外周の所定部位に取り付ける作業を行う必要がない。すなわち、ワイヤハーネス用外装材が他部材に干渉するような場合であっても、かかる干渉壁部が弾性変形することにより異音の発生が抑えられるので、従来の如き新たな部材やかかる部材を所定部位に取り付けるといった作業が不要となる。以上のことから、新たな部材の準備や新たな作業に伴うコストとの増加を有利に回避できるようになっている。
【図面の簡単な説明】
【００２０】
【図１】本発明の一実施形態としてのワイヤハーネス用外装材を示す斜視図。
【図２】図１の正面拡大図。
【図３】本実施形態のワイヤハーネス用外装材がワイヤハーネスに外装されてテープ巻き固定された状態を示す斜視図。
【発明を実施するための形態】
【００２１】
以下、本発明の実施形態について、図面を参照しつつ説明する。
【００２２】
先ず、図１〜２には、本発明の一実施形態としてのワイヤハーネス用外装材１０が示されている。ワイヤハーネス用外装材１０は、略円筒形状のチューブ本体１２を備えており、ＰＶＣ（ポリ塩化ビニル）等の合成樹脂材料を用いて例えば押出成形により一体的に形成されている。なお、以下の説明において、上方とは、図１〜２中の上方、下方とは、図１〜２中の下方を言い、また長手方向および軸方向とは、図２中の紙面に垂直な方向を言うものとする。
【００２３】
より詳細には、ワイヤハーネス用外装材１０には、チューブ本体１２を軸直角方向に貫通すると共に、チューブ本体１２の軸方向全長に亘って延びるスリット１４が設けられており、チューブ本体１２の内部が、スリット１４を開くことにより外部に連通されるようになっている。なお、このようなスリット１４は、チューブ本体１２を押出成形すると同時に、切断刃によってチューブ本体１２を軸直方向に貫いて切断すること等によって容易かつ効率的に形成することができる。
【００２４】
また、ワイヤハーネス用外装材１０には、複数（本実施形態では８個）の干渉壁部１６が、チューブ本体１２の外周面１８の周方向で相互に離隔するように設けられていると共に、スリット１４が形成された領域を除く全領域において、周方向に隙間なく密接するように形成されている。かかる干渉壁部１６はそれぞれ、チューブ本体１２の外周面１８に向かって開口すると共にチューブ本体１２の外周面１８の軸方向の全長に亘って連続して延びる略樋形状とされている。すなわち、各干渉壁部１６は、チューブ本体１２の外周面１８の周方向に沿って所定長さで広がると共に、周方向の両端部２０，２０がチューブ本体１２の外周面１８に向かって屈曲されて連結されるようになっている。ここで、所定長さは、本実施形態では略同じとされているが、スリット１４が形成された領域に隣接する２個の干渉壁部１６は、他の６個の干渉壁部１６よりもやや短く形成されている。これにより、各干渉壁部１６とチューブ本体１２の外周面１８との間に、変形許容空間２２が画成されるようになっており、かかる変形許容空間２２も干渉壁部１６と同様に、チューブ本体１２の軸方向の全長に亘って連続して設けられている。
【００２５】
このように、干渉壁部１６は、チューブ本体１２の外周面１８上に変形許容空間２２を隔てて突設されていることから、チューブ本体１２の軸直角方向に対して弾性変形可能となっている。しかも、図２に示されているように、本実施形態では、干渉壁部１６の厚さ寸法：ｔは、チューブ本体１２の厚さ寸法：Ｔの１／２〜１／３程度となっており、薄肉とされていることから、かかる弾性変形が一層容易となっている。
【００２６】
さらに、図２に示されているように、スリット１４が形成された領域を除く領域において、チューブ本体１２の外周面１８の周方向で隣接する干渉壁部１６の両端部２０，２０において、かかる両端部２０，２０の先端側２４が相互に一体化されてチューブ本体１２の外周面１８に対して連結されている。
【００２７】
次に、図１〜２に示す本実施形態のワイヤハーネス用外装材１０が外挿装着されているワイヤハーネス２６について、図３を用いて説明する。かかるワイヤハーネス２６は、図示しない電線群を外周側から結束テープ等で巻いて結束固定した電線の束２８を、本実施形態のワイヤハーネス用外装材１０のスリット１４から内部に差し入れることによって構成されている。より詳細には、ワイヤハーネス２６は、スリット１４から電線の束２８が離脱しないようにワイヤハーネス用外装材１０上に周方向に対して結束テープ３０が巻回されていると共に、ワイヤハーネス用外装材１０が電線の束２８の所定の位置に固定されるように、ワイヤハーネス用外装材１０の軸方向の両側から突出する電線の束２８の外周面に対しても結束テープ３０が巻回されている。なお、図３では、理解を容易とするため、結束テープ３０を仮想線で記載している。
【００２８】
このような構造とされたワイヤハーネス用外装材１０によれば、干渉壁部１６がチューブ本体１２の外周面１８上に変形許容空間２２を隔てて軸直角方向に対して弾性変形可能に突設されている。これにより、本実施形態のワイヤハーネス用外装材１０が外挿装着されているワイヤハーネス２６が、車両走行時の振動によって隙間を隔てて隣接配置された図示しない他部材に干渉したとしても、ワイヤハーネス用外装材１０に設けられた干渉壁部１６が他部材によって軸直角方向に弾性変形されることにより干渉が緩和されて、異音の発生が抑えられるようになっている。それゆえ、従来のように、新たにウレタン等の部材を準備したり、かかる部材をワイヤハーネス用外装材１０の外周面１８の所定部位に取り付ける作業が不要となることから、新たな部材の準備や新たな作業に伴うコストとの増加を有利に回避することができるようになっている。
【００２９】
また、本実施形態のワイヤハーネス用外装材１０には、複数（本実施形態では８個）の干渉壁部１６がチューブ本体１２の外周面１８の周方向で相互に離隔するように設けられていると共に、干渉壁部１６はチューブ本体１２の外周面１８に向かって開口する略樋形状とされて干渉壁部１６によってチューブ本体１２の外周面１８との間に変形許容空間２２が画成されるようになっている。それゆえ、変形許容空間２２の大きさを干渉壁部１６の材料や厚さ寸法：ｔ等を考慮して決定することにより、他部材の干渉に伴う干渉壁部１６の軸直角方向への弾性変形を可能としつつ他部材がチューブ本体１２の外周面１８へ直接干渉することを有利に回避することができるようになっている。
【００３０】
さらに、本実施形態においては、スリット１４が形成された領域を除く領域において、チューブ本体１２の外周面１８の周方向で隣接する干渉壁部１６の先端側２４が相互に一体化されてチューブ本体１２の外周面１８に対して連結されていることから、干渉壁部１６すなわちワイヤハーネス用外装材１０の耐久性の向上が図られている。また、チューブ本体１２の外周面１８上の略全体において隙間なく干渉壁部１６が設けられていることから、他部材によるあらゆる方向からの干渉に対応することができ、汎用性の向上を図ることができるようになっている。しかも、干渉壁部１６がチューブ本体１２よりも薄肉とされており、他部材との干渉時における干渉壁部１６の弾性変形が一層容易となることから、他部材による干渉が一層緩和されて、異音の発生が一層抑圧されている。
【００３１】
加えて、干渉壁部１６と変形許容空間２２がチューブ本体１２の軸方向に連続して設けられていることから、干渉壁部１６と変形許容空間２２を押出成形によって容易にチューブ本体１２と一体的に形成することができるようになっていると共に、他部材がチューブ本体１２の外周面１８へ直接干渉することを有利に回避できるようになっている。
【００３２】
以上、本発明の実施形態について説明してきたが、かかる実施形態における具体的な記載によって、本発明は、何等限定されるものでない。例えば、上記実施形態では、複数（本実施形態では８個）の干渉壁部１６の形状は略同じとされていたが、異なっていてもよい。また、上記実施形態では、干渉壁部１６は、スリット１４が形成された領域を除く全領域において、周方向に隙間なく密接するように形成されていたが、他部材がチューブ本体１２の外周面１８に直接干渉しない程度の隙間を隔てて離隔されていてもよい。なお、干渉壁部１６上には周方向に結束テープ３０が巻回されていることから、隣接する干渉壁部１６間の隙間が比較的大きいものであったとしても、他部材がかかる隙間上に配設された結束テープ３０に当接することでチューブ本体１２の外周面１８に直接干渉しないようになっている。
【符号の説明】
【００３３】
１０：ワイヤハーネス用外装材、１２：チューブ本体、１６：干渉壁部、１８：外周面、２０：端部、２２：変形許容空間、２４：先端側、２６：ワイヤハーネス
【図１】
2018191383.tif 000003
【図２】
2018191383.tif 000004
【図３】
2018191383.tif 000005